(57)【要約】【課題】様々な車両でタイヤ圧力センサーを共用できるプログラマブル汎用タイヤ圧力センサーシステムとその設置方法を提供する。【解決手段】タイヤ圧力感知装置１０は、タイヤ内部の気圧と温度を感知可能であるセンサー１１と、外部からの信号を受信可能である受信器１２と、センサー１１と受信器１２に接続され、ソフトウェアープログラムの保存とセンサー１１と受信器１２から伝送された信号の受信と処理を執行可能である保存処理セット１３とを含む。発信器１４は、保存処理セット１３に接続され、保存処理セット１３から伝送された信号をワイヤレスの方法で外部の監視制御装置に発信可能である。電源セット１５は、センサー１１、受信器１２、保存処理セット１３及び発信器１４に接続され、タイヤ圧力感知装置１０に必要な電力を供給可能である。【選択図】図２
2008137585.tif 000002
【特許請求の範囲】
【請求項１】
タイヤ内部の気圧と温度を感知可能であるセンサーと、
外部からの信号を受信可能である受信器と、
センサーと受信器に接続され、ソフトウェアープログラムの保存とセンサーと受信器から伝送された信号の受信と処理を執行可能である保存処理セットと、を含むタイヤ圧力感知装置と、
保存処理セットに接続され、保存処理セットから伝送された信号をワイヤレスの方法で外部の監視制御装置に発信可能である発信器と、
センサー、受信器、保存処理セット及び発信器に接続され、タイヤ圧力感知装置に必要な電力を供給可能である電源セットと、を備え、
タイヤ圧力感知装置は外部の有線またはワイヤレスの信号制御を介して特定のエンコードプログラムを選択して起動することにより、特定のエンコードプログラムを執行し、特定の外部の監視制御装置のエンコードの需要を満足させ、監視制御装置との電信を接続させることが可能であることを特徴とするプログラマブル汎用タイヤ圧力センサーシステム。
【請求項２】
タイヤ圧力感知装置との電信を接続させることにより、選んだ起動信号をタイヤ圧力感知装置内にインストールし、タイヤ圧力感知装置に特定のエンコードプログラムを執行させることが可能であるプログラムエンコード装置と、
プログラムエンコード装置に接続され、あらゆる選んだ起動信号を保存し、選んだ起動信号をプログラムエンコード装置に伝送し、これをタイヤ圧力感知装置内にインストールすることが可能であるプロセッサーと、
を備えることを特徴とする請求項１に記載のプログラマブル汎用タイヤ圧力センサーシステム。
【請求項３】
プログラムエンコード装置は、ワイヤレス伝送方法によりタイヤ圧力感知装置に接続されることを特徴とする請求項２に記載のプログラマブル汎用タイヤ圧力センサーシステム。
【請求項４】
プログラムエンコード装置は、有線伝送方法によりタイヤ圧力感知装置に接続されることを特徴とする請求項２に記載のプログラマブル汎用タイヤ圧力センサーシステム。
【請求項５】
保存処理セットは、内部にマイクロプロセッサーとメモリーを有することを特徴とする請求項２に記載のプログラマブル汎用タイヤ圧力センサーシステム。
【請求項６】
エンコードプログラムをインストールすることなく汎用プログラムのみを有する未起動のタイヤ圧力感知装置を選び取る段階と、
プロセッサーを介して所要の起動信号とエンコードプログラムを選ぶ段階と、
起動信号とエンコードプログラムをプログラムエンコード装置に伝送し、プログラムエンコード装置を介してタイヤ圧力感知装置に接続し、起動信号とエンコードプログラムをタイヤ圧力感知装置の保存処理セット内にインストールすることにより、本来起動されなかったタイヤ圧力感知装置を起動し、これに特定のエンコードプログラムを執行させると同時に、特定の監視制御装置との電信を接続させる段階と、
を含むことを特徴とするプログラマブル汎用タイヤ圧力センサーシステムの設置方法。
【請求項７】
ワイヤレスの方法によりプログラムエンコード装置とタイヤ圧力感知装置とを接続可能であることを特徴とする請求項６に記載のプログラマブル汎用タイヤ圧力センサーシステムの設置方法。
【請求項８】
有線の方法によりプログラムエンコード装置とタイヤ圧力感知装置とを接続可能であることを特徴とする請求項６に記載のプログラマブル汎用タイヤ圧力センサーシステムの設置方法。
【請求項９】
プロセッサーは、自らの内部に保存されたエンコードプログラムを取得可能なだけでなく、ネットワークを介して外部のデータベースとオンラインで結ぶことにより、データベース中に保存されているエンコードプログラムなどのデータを取得可能であることを特徴とする請求項６に記載のプログラマブル汎用タイヤ圧力センサーシステムの設置方法。
【請求項１０】
汎用プログラムとあらゆるエンコードプログラムを有する未起動のタイヤ圧力感知装置を選び取る段階と、
プロセッサーを介して特定の起動信号を選ぶ段階と、
起動信号をプログラムエンコード装置に伝送し、プログラムエンコード装置を介してタイヤ圧力感知装置に接続し、起動信号をタイヤ圧力感知装置にインストールすることにより、タイヤ圧力感知装置を起動し、これに特定のエンコードプログラムを執行させると同時に、外部の特定の監視制御装置との電信を接続させる段階と、
含むことを特徴とするプログラマブル汎用タイヤ圧力センサーシステムの設置方法。
【請求項１１】
ワイヤレスの方法によりプログラムエンコード装置とタイヤ圧力感知装置とを接続可能であることを特徴とする請求項１０に記載のプログラマブル汎用タイヤ圧力センサーシステムの設置方法。
【請求項１２】
有線の方法によりプログラムエンコード装置とタイヤ圧力感知装置とを接続可能であることを特徴とする請求項１０に記載のプログラマブル汎用タイヤ圧力センサーシステムの設置方法。
【請求項１３】
プロセッサーは、自らの内部に保存されたエンコードプログラムを取得可能なだけでなく、ネットワークを介して外部のデータベースとオンラインで結ぶことにより、データベース中に保存されているエンコードプログラムなどのデータを取得可能であることを特徴とする請求項１０に記載のプログラマブル汎用タイヤ圧力センサーシステムの設置方法。
【発明の詳細な説明】
【技術分野】
【０００１】
本発明は、自動車用のタイヤ圧力感知装置、詳しく言えば、プログラマブル汎用タイヤ圧力センサーシステムとその設置方法に関するものである。
【背景技術】
【０００２】
タイヤ圧力センサーは、タイヤ内部に装着され、タイヤ内部の気圧と温度などの数値を検知し、タイヤ圧力センサー内の発信装置を介して圧力または温度などの数値を表示処理器に伝送し、自動車またはバイクの運転者に表示器に表示された数値を反映させ、現在のタイヤ圧力の正確な数値を知らせることを可能にする設備である。現今、市販のタイヤ圧力センサーの標準規格が統一されていないことから、それぞれのメーカーは製造年月の異なる車両に対してそれぞれ異なるエンコードプログラムとエンコード方法を行っていることが判明している。また、メーカーは、タイヤ圧力センサーを完成すると同時に、それぞれのメーカーごとに異なるエンコードプログラムをタイヤ圧力センサー内に焼きつける。言い換えれば、タイヤ圧力センサー内のプログラムの再編集、修正または更新などを行うことができないため、異なるメーカーのタイヤ圧力センサー或いはメーカーが同じであっても、製造年月や対応する車種が異なるタイヤ圧力センサーは共用されていない。従って、それぞれの車両に対応する製品でなければ、取付けができない。この点は、整備、修繕及び在庫管理に非常に不便である。
【発明の開示】
【発明が解決しようとする課題】
【０００３】
本発明の主な目的は、異なるメーカーの自動車または二輪車に対して同じ製品を使用し、従来の修繕と在庫管理上の問題を改善することを可能にするプログラマブル汎用タイヤ圧力センサーシステムとその設置方法を提供することである。
【課題を解決するための手段】
【０００４】
上述の目的を達成するために、本発明によるプログラマブル汎用タイヤ圧力センサーシステムとその設置方法は、方法としてまず未起動のタイヤ圧力感知装置を選び取り、続いて、プロセッサーを介して特定の起動信号を選び、そののち、起動信号をプログラムエンコード装置に伝送し、プログラムエンコード装置を介してタイヤ圧力感知装置を起動し、タイヤ圧力感知装置に特定のエンコードプログラムを執行させると同時に、外部の特定の監視制御装置との電信を接続させることである。
【発明を実施するための最良の形態】
【０００５】
以下、実施例と図面に基づいて本発明の特徴と効果を説明する。まず、図面の説明は下記の通りである。
図１は、本発明の一実施例によるプログラマブル汎用タイヤ圧力センサーシステムとその設置方法を示す模式図である。
図２は、本発明の一実施例によるプログラマブル汎用タイヤ圧力センサーシステムのタイヤセンサーの内部機能を示すブロック図である。
【０００６】
図１と図２に示すように、本発明の一実施例によるプログラマブル汎用タイヤ圧力センサーシステムは、次のものを含む。
タイヤ圧力感知装置１０は、タイヤ内部の気圧と温度を感知可能なセンサー１１と、外部からの信号を受信可能な受信器１２と、内部にマイクロプロセッサーとメモリーを有する保存処理セット１３とを含み、メモリーは汎用ソフトウェアーのみを有するか、汎用ソフトウェアーとすべてのメーカーのエンコードプログラムを予め保存することが可能である。また、保存処理セットは、センサー１１と受信器１２に接続され、ソフトウェアープログラムの保存とセンサー１１と受信器１２から伝送された信号の受信と処理を執行することが可能である。
【０００７】
発信器１４は、保存処理セット１３に接続され、保存処理セット１３から伝送された信号をワイヤレスの方法で外部の監視制御装置に発信することが可能である。
電源セット１５は、センサー１１、受信器１２、保存処理セット１３及び発信器１４に接続され、タイヤ圧力感知装置１０に必要な電力を供給することが可能である。
また、タイヤ圧力感知装置１０は、外部の有線またはワイヤレスの信号制御を介して特定のエンコードプログラムを選択して起動するか、或いは、再びエンコードプログラムを保存処理セット１３にインストールすることにより、本来タイヤ圧力感知装置に搭載された汎用プログラムのほかに特定のエンコードプログラムを加え、特定のエンコードの需要を満足させることが可能である。
【０００８】
また、プログラマブル汎用タイヤ圧力センサーシステムとその設置方法は、そのほかに次のものを含む。
プログラムエンコード装置２０は、タイヤ圧力感知装置１０との電信を接続させることが可能であり、また、有線またはワイヤレス伝送の方法により信号を選択して起動するか、或いは、再びエンコードプログラムをタイヤ圧力感知装置内にインストールし、エンコードプログラムを起動することが可能である。
【０００９】
プロセッサー３０は、プログラムエンコード装置２０に接続され、各種のエンコードプログラムを保存し、特定のエンコードプログラムの起動信号を選び、かつこれをプログラムエンコード装置に伝送するか、或いは、選び出した特定のエンコードプログラムをプログラムエンコード装置に伝送し、これをタイヤ圧力感知装置１０内にインストールすることが可能である。本実施例では、プロセッサーは、プログラムエンコード装置に接続され、各種のエンコードプログラムを保存し、かつ選び出した特定の起動信号をプログラムエンコード装置に伝送するコンピューターである。また、プロセッサーは、自らの内部に保存されたエンコードプログラムを取得することが可能なだけでなく、有線またはワイヤレスネットワークを介して外部のデータベースとオンラインで結ぶことにより、データベース中に保存されているエンコードプログラムなどのデータを取得することが可能である。
【００１０】
本実施例によるプログラマブル汎用タイヤ圧力センサーシステムとその設置方法、特に、設置方法は従来の製品の設置方法と異なる。その設置方法は、下記の通りである。
まず、未起動のタイヤ圧力感知装置を選び取り、続いて、プロセッサーを介して特定のメーカーに対応する起動信号を選び、そののち、起動信号をプログラムエンコード装置に伝送し、プログラムエンコード装置を介してタイヤ圧力感知装置を起動し、タイヤ圧力感知装置を特定のエンコードプログラムに対応可能な感知装置に変えると同時に、外部の特定の監視制御装置との電信を接続させることである。
【００１１】
本実施例による方法の起動方法は、二つある。一つは、汎用プログラムとあらゆるメーカーのエンコードプログラムがタイヤ圧力感知装置内に搭載されている場合、プログラムエンコード装置は起動信号により選び出された特定のエンコードプログラムを制御及び起動し、タイヤ圧力感知装置に特定のエンコードプログラムを執行させることである。もう一つは、タイヤ圧力感知装置がエンコードプログラムをインストールされず、汎用プログラムのみを有する空白のタイヤ圧力感知装置である場合、プロセッサーは特定のメーカーに対応可能な起動信号とエンコードプログラムを選び出し、かつ起動信号とエンコードプログラムをプログラムエンコード装置に伝送し、続いて、プログラムエンコード装置を介して有線またはワイヤレスの接続方法で特定のエンコードプログラムをタイヤ圧力感知装置内の保存処理セットにインストールし、そして、これを起動することである。特定のエンコードプログラムがインストールされるのに伴い、本来汎用プログラムのみを有する空白のタイヤ圧力感知装置は特定の車両メーカーのエンコードプログラムに対応可能な感知装置となると同時に、その車両メーカーの外部の監視制御装置との電信を接続させることが可能である。
【００１２】
本実施例によるシステムにより、在庫管理の際に、メーカーと型番の異なる各種のタイヤ圧力感知装置を備蓄する必要はなく、未起動のタイヤ圧力感知装置を備蓄しさえすればいい。取り付ける場合、タイヤ圧力感知装置を起動することにより、タイヤ圧力感知装置を任意の特定のメーカーの機能の需要に対応させることが可能である。これにより、本実施例の取付け方法は、従来の取付け方法と異なるだけでなく、簡単になると同時に、在庫管理にかかるコストの負担を大幅に減少させ、従来の製品の問題を明らかに改善することが可能である。
【図面の簡単な説明】
【００１３】
【図１】本発明の一実施例によるプログラマブル汎用タイヤ圧力センサーシステムとその設置方法を示す模式図である。
【図２】本発明の一実施例によるプログラマブル汎用タイヤ圧力センサーシステムのタイヤセンサーの内部機能を示すブロック図である。
【符号の説明】
【００１４】
１０：タイヤ圧力感知装置、１１：センサー、１２：受信器、１３：保存処理セット、１４：発信器、１５：電源セット、２０：プログラムエンコード装置、３０：プロセッサー
【図１】
2008137585.tif 000003
【図２】
2008137585.tif 000004